(57)【特許請求の範囲】
【請求項１】
上部にネジ式のキャップを備える合成樹脂製のボトルと、コンクリート打設用の型枠に着脱自在に取り付けるブラケットとを備え、ボトルは、キャップを外した口部をブラケットに下方より挿通し、上方からキャップを捩じ込むことでブラケットに固定され、ボトルの胴部がコンクリート中に埋まるように吊り下げられることを特徴とする柱立設穴形成具。
【発明の詳細な説明】
【０００１】
【発明の属する技術分野】
本発明は、コンクリート面に手摺等の柱を立設するための穴を形成する際に用いる柱立設穴形成具に関するものである。
【０００２】
【従来の技術】
コンクリート面に、柱を立設するための穴を形成するには、コンクリートを打設する際に、空けたい穴と同じ形をした仮のアンカー部材をコンクリートに埋め込んでおき、コンクリートが固まったところでアンカー部材を抜き取る方法が採られている。アンカー部材は、固まったコンクリートから簡単に抜き取れるような工夫が必要で、ゴム等の伸縮性のある材質でできた袋状アンカーを用いる場合と、アルミやプラスチック等の鋳物でできた柱状アンカーを用いる場合がある。
【０００３】
袋状アンカーの例としては、特公平２−３８７３３号公報等がある。これらは、袋状アンカーを内部に空気や水を送り込んで膨らませてコンクリートに埋め込み、抜き取る際には、袋の口を開いて中の空気や水を抜き、袋状アンカーを収縮させて抜き取るものであるが、袋状アンカーに空気や水を送り込んだり抜き取ったりする作業が面倒であり、またその作業には専用の道具が必要であった。
【０００４】
また、柱状アンカーの例としては、例えば実公平８−１０６３２号公報が挙げられるが、これは硬質の円柱体の外周面に螺旋状の凸条が形成してあって、コンクリートから抜く時は、円柱体を回転させるものであり、回転に耐え得る強度が必要なために、重くて扱い難いものとなっていた。
【０００５】
【発明が解決しようとする課題】
また、上記したようなアンカー部材は、いずれもかなりコストが掛かっているので何度も繰り返し使用しており、そのためアンカー部材は、損傷を防ぐためにもなるべく早い内にコンクリートから抜き取られることが多く、早ければコンクリートを打設した翌日、遅くとも型枠を撤去する迄には必ず抜き取って、型枠を組む業者が回収している。しかし、こうして柱立設穴を形成してから、その穴を利用する手摺等の取り付けが行われるまでには長い時間が空くことが多く、その間に柱立設穴の中に汚れ水やゴミが溜まるので、手摺を取り付ける工事の直前に穴の中をきれいに掃除する必要があった。冬期には穴に溜まった水が凍結し、コンクリートの躯体が割れることもあった。
【０００６】
本発明は、以上に述べたような実情に鑑み、使い勝手が良い上に、安価で使い捨てにもでき、柱立設穴に汚れ水やゴミが溜まるのを防ぐことのできる柱立設穴形成具を提供することを目的とする。
【０００７】
【課題を解決するための手段】
上記の課題を達成するために、本発明の柱立設穴形成具は、上部にネジ式のキャップを備える合成樹脂製のボトルと、コンクリート打設用の型枠に着脱自在に取り付けるブラケットとを備え、ボトルは、キャップを外した口部をブラケットに下方より挿通し、上方からキャップを捩じ込むことでブラケットに固定され、ボトルの胴部がコンクリート中に埋まるように吊り下げられることを特徴とする。
【０００８】
ボトルは、内部が空洞であってキャップによって密閉でき、壁面には適度な硬さがあって、同時に可撓性を有するものとし、現状ではポリエチレンテレフタレートを原料に用いた、いわゆるペットボトルとするのが好ましい。ペットボトルは、とにかく安価に製作できることから使い捨てにでき、柱を立設する工事の直前までコンクリートに埋め込んだままにしておいて、柱立設穴に汚れ水やゴミが溜まるのを防ぐことができる。しかもペットボトルは、表面が滑らかで、なおかつ可撓性を有しているので、キャップを外した上で周囲から手で押して変形させれば、固まったコンクリートから容易に剥離し、手で簡単に引き抜くことができる。また、ペットボトルと同じような性状に形成できるものであれば、ボトルの材質として他の合成樹脂を選択しても良い。
【０００９】
【発明の実施の形態】
以下、本発明の実施の形態を図面に基づいて説明する。図１と図２は、本発明の柱立設穴形成具を用いて、マンションのベランダ等のパラペット１０に手摺の柱１１を立設するための柱立設穴２を形成する時の状態を示しており、図１は上面図、図２は図１のＡ−Ａにおける縦断面図である。本発明の柱立設穴形成具は、ボトル１と、これを型枠１２内の定位置に吊り下げておくためのブラケット３とから成る。
【００１０】
ボトル１は、立設しようとする柱の形状を基に決められた柱立設穴２に合わせて胴部４が形成されており、上部には口部５を有し、ネジ式のキャップ６によって密閉することができる。ボトル１は、ポリエチレンテレフタレートを原料としてブロー成形によって作られるいわゆるペットボトルであり、衛生的である必要はないので、使用済みの飲料用ペットボトルを原料に用いて再生すれば極めて安価に製作できる。またボトル１は、飲料用のペットボトルをそのまま流用することも不可能ではないが、コンクリート１３に埋め込むことを考慮して専用に設計することが好ましく、柱立設穴２の大きさに合わせて最適な肉厚に適宜変更したり、下方にいくにつれて胴部４が細くなるようなテーパーを付けて、コンクリート１３から抜け易くするといった形状の工夫があると尚良い。さらに図２に示すように、ボトル１の胴部４の所々に部分的な凸部１６を設けてあると、後でモルタルを柱立設穴２内に流し込んだ時に、モルタルの定着度合を高めることができる。
【００１１】
ブラケット３は、コンクリート打設用の型枠１２にボルト１４で固定されるもので、上記したボトル１の口部５を挿通できる穴を有しており、そこにキャップ６を外したボトル１の口部５を下から差し込んで、上からキャップ６を捩じ込むとボトル１は密閉されると同時にブラケット３に固定される。ボトル１はキャップ６で密閉されているために、流し込んだコンクリート１３の圧力を受けても変形することがなく、正確な柱立設穴２を形成できる。
【００１２】
図２の状態でコンクリート１３を養成した後で型枠１２を撤去するが、その際キャップ６をいったん外してからブラケット３を取り外し、再度キャップ６を閉めて、ボトル１を図３（イ）に示すようにコンクリート１３に埋め込んだままにしておく。手摺の取り付け工事を行う直前にボトル１を抜き取るのであるが、その際には図３（ロ）に示すように、キャップ６を外した上でボトル１を周囲から手で押し潰すようにすれば、ボトル１は変形して固まったコンクリート１３から剥離するので、手で簡単に引き抜くことができる。こうしてできた柱立設穴２に、図３（ハ）に示すように手摺の柱１１の下端部を差し込み、周囲にモルタル１５を充填することで柱が固定される。
【００１３】
ボトル１は、基本的に使い捨てとする。ペットボトルは、現在飲料容器として大量に消費されているので、焼却やリサイクルのための経路や設備が整ってきており、また塩素を含まないので焼却しても塩素ガスを発生せず、環境破壊に繋がる恐れは少ない。また、ブラケットは何度でも繰り返し使用できる。
【００１４】
【発明の効果】
本発明の柱立設穴形成具は、安価で使い捨てにできる合成樹脂製のボトルを使用しており、柱を立設する直前までボトルをコンクリートに埋め込んだままにしておいて、柱立設穴に汚れ水やゴミが溜まるのを防ぐことができる。しかもボトルは、軽くて扱い易い上に、キャップで密閉できるので正確な柱立設穴を形成でき、また、固まったコンクリートから抜き取るのも容易である。さらに、ボトルのキャップが、ボトルをブラケットに固定するための手段となっているので、ボトルとブラケットとの合体・分離作業を、工具を使わずに簡便に行うことができる。
【図面の簡単な説明】
【図１】本発明による柱立設穴形成具の実施形態を示す上面図である。
【図２】図１におけるＡ−Ａ断面図である。
【図３】（イ）（ロ）（ハ）型枠を撤去した後、柱を立設するまでの工程図である。
【符号の説明】
１  ボトル
２  柱立設穴
３  ブラケット
４  胴部
５  口部
６  キャップ
１２  型枠
【図１】
0004168579.tif 000002
【図２】
0004168579.tif 000003
【図３】
0004168579.tif 000004